(57)【要約】【課題】特別な工事をすることなく且つ簡単に通常型と予作動式の何れの湿式スプリンクラーシステムにも切り替えることを可能とする流水検知装置を提供すること。【解決手段】消火用の水の供給を行う一次側配管と一次側配管から水の供給を受けスプリンクラーヘッドから放水を行う二次側配管とを連通状態で接続する接続体１０ａと、接続体１０ａ内に設けられ一次側配管から二次側配管への流水状態を検知する流水検知手段１６と、を有する流水検知装置１０において、接続体１０ａは、一体型の構成を有し、接続体１０ａ内には、一次側配管と二次側配管との連通状態を開閉する仕切り弁１２を設けた。【選択図】図１
2015217240.tif 000002
【特許請求の範囲】
【請求項１】
消火用の水の供給を行う一次側配管と該一次側配管から水の供給を受けスプリンクラーヘッドから放水を行う二次側配管とを連通状態で接続する接続体と、該接続体内に設けられ前記一次側配管から前記二次側配管への流水状態を検知する流水検知手段と、を有する流水検知装置において、
前記接続体は、一体型の構成を有し、
該接続体内には、前記一次側配管と前記二次側配管との連通状態を開閉する仕切り弁が設けられたことを特徴とする流水検知装置。
【請求項２】
前記仕切り弁は、自動開閉可能に構成されたことを特徴とする請求項１に記載の流水検知装置。
【請求項３】
前記仕切り弁はボール型バルブであり、前記流水検知手段は流水抵抗を受けるように配置されたパドルの往復動作によって流水検知を行うパドル型スイッチであり、該パドル型スイッチの少なくとも前記パドルの動作部の一部を前記ボール型バルブの流水経路内に設置したことを特徴とする請求項１又は２に記載の流水検知装置。
【発明の詳細な説明】
【技術分野】
【０００１】
本発明は、スプリンクラーシステムで使用する流水検知装置に関する。
【背景技術】
【０００２】
スプリンクラーシステムは、常態で二次側配管に水が充填されるか否かで乾式と湿式に分類される。寒冷地では凍結の恐れがあるため乾式が用いられるが、耐久性や火災時の迅速性を考慮して、湿式が多く用いられている。この湿式にも通常のものと予作動式がある。何れのタイプにおいても連続流水の有無を検知する流水検知装置が設けられている。
【０００３】
図４は、通常の湿式スプリンクラーシステムの主要部の概略構成図である。湿式スプリンクラーシステム１００において、地上又は地下の消火水槽２６に蓄えられた水は、ポンプ２４、一次側配管２８、流水検知装置３２、二次側配管３０、スプリンクラーヘッド２２を経由して放水される。一次側配管２８は、水供給手段の一部である給水ポンプ２４に接続され、各階に立ち上がって配管されている。二次側配管３０は、各階で一次側配管２８から連通して分岐され、各階の天井に略並行に伸長した後に更に連通して分岐し、鉛直方向に垂下した立ち下げ配管３０ａを形成している。その立ち下げ配管３０ａの先端部には、各階の天井部から露出した状態でスプリンクラーヘッド２２が取り付けられている。
【０００４】
一次側配管２８には、圧力スイッチ４０が設けられている。この圧力スイッチ４０は、一次側配管２８の水圧が所定の圧力以下になると水供給信号ＭＳを制御盤４１に送信する。制御盤４１は、水供給信号ＭＳを受信すると、給水ポンプ２４を起動するように構成されている。
【０００５】
火災が発生し、スプリンクラーヘッド２２が作動すると、二次側配管３０内の水が放出され、二次側配管３０内の圧力が低下する。これにより、一次側配管２８から水が二次側配管３０へ流入し、一次側配管２８の圧力が低下する。この圧力低下を圧力スイッチ４０が感知すると、圧力スイッチ４０は水供給信号ＭＳを制御盤４１に送信する。制御盤４１は、水供給信号ＭＳを受信すると、給水ポンプ起動信号ＣＳ１を給水ポンプ２４に送信する。すると、給水ポンプ２４が起動し、一次側配管２８から二次側配管３０に連続して送水され、消火活動が行われる。
【０００６】
流水検知装置３２は、一次側配管２８と二次側配管３０とが連通して接続される接続体３２ａを有し、一次側配管２８から二次側配管３０に連続して水が流れると、流水検知手段１６が作動し、連続流水を行っていることの報知を行う。上記の通常の湿式スプリンクラーシステム１００では、スプリンクラーヘッド１２が誤動作を起こした場合、連続して水が流れ、いわゆる水損及び室内機器等が水を被ることによる物損が発生する。
【０００７】
図５は、予作動式の湿式スプリンクラーシステム１１０の主要部の概略構成図である。前述した水損及び物損を回避するために構築されたシステムである。図４の通常の湿式スプリンクラーシステム１００と同一の構成要素については同一の符号を付してあり説明は省略する。大きな違いは、流水検知装置３２の上流側に、常態が閉状態の仕切り弁４２がある。この仕切り弁４２は、火災検知器３８からの火災信号ＦＳを制御盤３６が受信すると、仕切り弁４２を開状態とするための制御信号ＣＳ２を仕切り弁４２の開閉制御部４４に送信する。同時に、給水ポンプを起動するための給水ポンプ起動信号ＣＳ１を給水ポンプ２４に送信する。
【０００８】
火災が発生すると、火災検知器３８が作動し、仕切り弁４２が開状態となり、一次側配管２８と二次側配管３０が連通状態となる。そして、スプリンクラーヘッド２２が作動すると一次側配管２８から二次側配管３０へ水が連続して流れ消火活動が行われる。流水検知装置３２は、一次側配管２８から二次側配管３０へ水が連続して流れるので流水検知手段１６が作動し、連続流水を行っていることの報知を行う
【０００９】
火災検知器３８が誤動作であった場合には、仕切り弁４２が開状態となるが、スプリンクラーヘッド２２が作動しない限り水損及び物損は発生しない。また、スプリンクラーヘッド２２が誤作動を起こした場合、二次側配管３０内の水は放出されるが、火災信号ＦＳが送信されないので仕切り弁４２は閉状態のままであり大きな水損及び物損は発生しない。
【００１０】
なお、二次側配管３０内の水を常態で吸引しておき、スプリンクラーヘッド２２が誤作動した場合の水損及び物損を皆無とした真空湿式スプリンクラーシステム（特許文献１）においても、基本的な動作は上述したものと同様である。
【先行技術文献】
【特許文献】
【００１１】
【特許文献１】特許第３２６４９３９号公報
【発明の開示】
【発明が解決しようとする課題】
【００１２】
水損及び物損の発生を回避するために通常の湿式スプリンクラーシステム１００から予作動式の湿式スプリンクラーシステム１１０に変更したいという要望がある。しかし、一旦、湿式スプリンクラーシステム１００を構築した後に、予作動式の湿式スプリンクラーシステム１１０に変更することは容易ではない。すなわち、仕切り弁４２を新たに取り付ける等の大掛かりな工事が必要となる。また、工事期間は、スプリンクラーシステムが休止の状態となり、火災が発生した場合に消火活動ができない等の心配がある。
【００１３】
本発明は、上記課題に鑑みてなされたものであり、その目的は、特別な工事をすることなく且つ簡単に通常型と予作動式の何れの湿式スプリンクラーシステムにも切り替えることを可能とする流水検知装置を提供することにある。
【課題を解決するための手段】
【００１４】
上記目的を達成するため、請求項１に記載の流水検知装置は、消火用の水の供給を行う一次側配管と該一次側配管から水の供給を受けスプリンクラーヘッドから放水を行う二次側配管とを連通状態で接続する接続体と、該接続体内に設けられ前記一次側配管から前記二次側配管への流水状態を検知する流水検知手段と、を有する流水検知装置において、前記接続体は、一体型の構成を有し、該接続体内には、前記一次側配管と前記二次側配管との連通状態を開閉する仕切り弁が設けられたことを特徴とする。
【００１５】
この構成によれば、流水検知装置の接続体内には仕切り弁が設けられている。したがって、この仕切り弁を常態で開状態とすることで通常の湿式スプリンクラーシステムが構築され、常態で閉状態とし火災検知器と連動させることで予作動式の湿式スプリンクラーシステムが構築される。したがって、本発明の一体型の流水検知装置を設置しておくことで、システムの変更に伴う煩雑な改修工事は不必要となり、また工事に伴うスプリンクラーシステムの停止期間も無くなる。
【００１６】
請求項２に記載の流水検知装置は、請求項１に記載の流水検知装置において、前記仕切り弁は、自動開閉可能に構成されたことを特徴とする。このように、仕切り弁を自動的に開閉できるので、通常の湿式スプリンクラーシステムと予作動式の湿式スプリンクラーシステムとの切換えを瞬時に行うことが可能となり、通常の湿式スプリンクラーシステムと予作動式の湿式スプリンクラーシステムとの間の切り替え時の簡略化がより的確になる。
【００１７】
請求項３に記載の流水検知装置は、請求項１又は２に記載の流水検知装置において、前記仕切り弁はボール型バルブであり、前記流水検知手段は流水抵抗を受けるように配置されたパドルの往復動作によって流水検知を行うパドル型スイッチであり、該パドル型スイッチの少なくとも前記パドルの動作部の一部を前記ボール型バルブの流水経路内に設置したことを特徴とする。この構成によれば、仕切り弁としてボール型バルブが採用され、ボール型バルブの流水経路内にパドル型スイッチのパドルの一部が配置されることから、接続体内のスペースが有効に活用され、システムの切り替えが可能な流水検知装置の小型化が図られる。
【発明の効果】
【００１８】
本発明の流水検知装置によれば、接続体の内部に仕切り弁を設けたので、通常の湿式スプリンクラーシステムと予作動式の湿式スプリンクラーシステムの両方で使用可能となり、システムの変更に伴う改修工事は不必要となる。また、改修工事に伴うシステムの停止期間も無くなることからシステムの信頼性も向上する。
【図面の簡単な説明】
【００１９】
【図１】本発明の流水検知装置の第１の実施の形態に係る概略断面図である。
【図２】本発明の流水検知装置の第２の実施の形態に係る概略断面図である。
【図３】図１又は図２に示す流水検知装置を用いた湿式スプリンクラーシステムの主要部の概略構成図である。
【図４】従来の通常の湿式スプリンクラーシステムに係り、主要部の概略構成図である。
【図５】従来の予作動式の湿式スプリンクラーシステムに係り、主要部の概略構成図である。
【発明を実施するための形態】
【００２０】
図１は、本発明の流水検知装置の第１の実施の形態に係る概略断面図である。流水検知装置１０は、消火用の水の供給を行う一次側配管と一次側配管から水の供給を受けスプリンクラーヘッドから放水を行う二次側配管とを連通状態で接続する接続体１０ａと、一次側配管から二次側配管へ所定時間水が流れた時に連続流水の検知を行う流水検知手段１６と、接続体１０ａ内に仕切り弁１２を有する。以下、個々の構成要素について詳述する。
【００２１】
接続体１０ａは筒状であり、上端と下端が開口している。上端の開口部１０ｂに二次側配管、下端の開口部１０ｃに一次側配管が連通した状態で接続される。
【００２２】
接続体１０ａ内は仕切り弁１２が設けられている。本実施の形態では、仕切り弁としてボール型バルブを用いた。なお、これに限らず、バタフライ型バルブ、グローブ型バルブ等種々のものも使用することができる。
【００２３】
ボール型バルブ１２は、球状の弁体１５に主孔１３が直線状に貫通して形成され、主孔１３の略中央から主孔１３と直交する方向に穿設された副孔１４を有する。球状の弁体１５を回転させ主孔１３の向きを開口部１０ｂ、１０ｃに揃えると一次側配管から二次側配管へ水が流れる（開状態）。主孔１３の向きを開口部１０ｂ、１０ｃと直交させると一次側配管から二次側配管へ水は流れない（閉状態）。図１は、ボール型バルブ１２が閉の状態を示している。ボール型バルブ１２の開閉、すなわち弁体１５の回転は、弁体１５に取り付けられた回転軸１８ａを開閉制御部１８が回転させることにより為される。本実施の形態では電動モータを用いている。そして、図３にも示しているが、ボール型バルブ１２は、火災検知器からの火災信号により自動的に開状態となるように構成されている。この場合の水の流れを矢印１５０で示している。また、ボール型バルブ１２の開閉動作において、漏水が発生しないようにボール型バルブ１２の摺動部分にはシール材１２ａが設けられている。
【００２４】
ボール型バルブ１２の流水経路内、即ち弁体１５の主孔１３内には、パドル型スイッチ１６ｂのパドル２０が配置されている。パドル２０は、弁体１５の副孔１４を利用して取り付けられている。一次側配管から二次側配管へ水が流れると、パドル２０は流水抵抗を受けて、パドル型スイッチ１６ｂがオン状態となり、水の流れが無くなるとパドル２０は元の位置に復帰してパドル型スイッチ１６ｂはオフ状態となる。一次側配管から二次側配管へ所定の時間連続流水があると、パドル型スイッチ１６ｂ内に設置されたブザー等によりその報知が為される。
【００２５】
接続体１０ａの内部には、逆止弁の作用を有するディスク５０があり、一次側配管から水が流れて来るとその水圧により上部へ押し上げられて開状態となる。このディスク５０は、例えば、一次側配管のメンテナンスのために水を抜いた場合に、これが無いと各階の二次側配管内の水が流れ出て来るので、メンテナンスに不都合が生じる。その恐れがない場合には、ディスク５０は無くても良い。
【００２６】
本実施の形態によれば、流水検知装置１０の接続体１０ａ内には仕切り弁としてボール型バルブ１２が設けられている。したがって、このボール型バルブ１２を常態で開状態とすることで通常の湿式スプリンクラーシステムが構築され、常態で閉状態とし火災検知器と連動させることで予作動式の湿式スプリンクラーシステムが構築される。この開閉を遠隔操作により可能にしておくことで、システムの切り替えに要する無駄な時間、すなわちシステムが停止している時間を無くすことができる。
【００２７】
したがって、この一体型の流水検知装置１０を設置しておくことで、システムの変更に伴う煩雑な改修工事は不必要となり、また工事に伴うスプリンクラーシステムの停止期間も無くなる。また、流水検知手段１６をパドル型スイッチ１６ｂにより構成し、パドル型スイッチ１６ｂのパドル２０を、ボール型バルブ１２内の弁体１５内に配置したので、接続体１０ａの小型化が図れる。
【００２８】
図２は、本発明の流水検知装置の第２の実施の形態に係る概略断面図である。図１と同じ構成要素には同一の符号を付し説明は省略する。本実施の形態は、流水検知手段１６として、従来の圧力スイッチ１６ａをそのまま用いた例を示している。
【００２９】
接続体１０ａ内には、逆止弁の作用を有するディスク１４が設けられている。このディスク１４は、略円形状であり一次側配管から水が流れて来ると、水圧により押し上げられて開状態となり、水は二次側配管へと流れる。この水の流れを矢印１５０で示している。ディスク１４の円周端の一部分には、パイロットバルブ１４ａが設けられており、後述する流水検知手段１６である圧力スイッチ１６ａへの水の流れを制御する。具合的には、ディスク１４が閉状態のときには、パイロットバルブ１４ａが圧力スイッチへ流れる水路の水路口１６ｂを塞ぎ、一次側配管から流れて来た水の水圧によりディスク１４が開状態になると、塞いでいた水路の水路口１６ｂが開放され、圧力スイッチ１６ａへの水路１６ｃに水が流入する。
【００３０】
流水検知手段１６は、上記のパイロットバルブ１４ａと圧力スイッチ１６ａとを有して構成される。圧力スイッチ１６ａは、上記の水路１６ｃから水が流れて来るとその水の圧力によりオン状態となる。このオン状態が所定の時間継続すると、一次側配管から二次側配管へ連続流水が行われていることをブザー等により報知するように構成されている。
【００３１】
仕切り弁として、図１と同様に接続体１０ａ内にボール型バルブ１２を設置した。このボール型バルブ１２の開閉は、図１と同様に開閉制御部１８により行われる。また、第１の実施の形態と同様に、ボール型バルブ１２は火災検知器と連動して火災信号により自動的に開状態となる。更に、遠隔操作により開閉可能に構成されている。
【００３２】
本実施の形態によれば、従来の流水検知手段１６をそのまま用い、ボール型バルブ１２を接続体１０ａ内に設けたので、このボール型バルブ１２を常態で開状態とすることで通常の湿式スプリンクラーシステムが構築され、常態で閉状態とし火災検知器と連動させることで予作動式の湿式スプリンクラーシステムが構築される。したがって、この一体型の流水検知装置１０を設置しておくことで、システムの変更に伴う煩雑な改修工事は不必要となり、また工事に伴うスプリンクラーシステムの停止期間もなくなる。
【００３３】
図３は、図１又は図２で示した流水検知装置を用いた湿式スプリンクラーシステムの主要部の概略構成図である。通常の湿式スプリンクラーシステム及び予作動式の湿式スプリンクラーシステムの何れのシステムにも切り換え可能である。なお、図５に示した予作動式の湿式スプリンクラーシステムと同一の構成要素には、同一の符号を付し説明は省略する。
【００３４】
図５の予作動式の湿式スプリンクラーシステムとの違いは、接続体１０ａ内に仕切り弁１２が一体として設けられている点にある。また、一次側配管２８に圧力スイッチ４０が設けられている点にある。
【００３５】
この構成により、仕切り弁１２を常態で開状態として、一次側配管２８及び二次側配管３０に水を充填しておくことで、通常の湿式スプリンクラーシステムとして動作する。また、仕切り弁１２を常態で閉状態として、火災検知器３８と連動して開状態となるようにすることで予作動式の湿式スプリンクラーシステムとして動作する。この開閉を遠隔操作により可能にしておくことで、システムの切り替えに要する無駄な時間、すなわちシステムが停止している時間を無くすことができる。
【００３６】
したがって、本発明の一体型の流水検知装置を設置しておくことで、システムの変更に伴う煩雑な改修工事は不必要となり、また工事に伴うスプリンクラーシステムの停止期間も無くなりシステムの信頼性が向上する。更に、例えば、建物の１階は予作動式、２階は通常という具合に、各階毎にシステムを選択することもでき、使い勝手は良好である。
【００３７】
なお、本発明は、上述の実施の形態に限定されるものではなく、本発明の趣旨を逸脱しない範囲で種々の変更が可能である。例えば、接続体は筒状のものを例示したがこれに拘らない。
【符号の説明】
【００３８】
１０、１１、３２  流水検知装置
１０ａ、３２ａ  接続体
１２  仕切り弁（ボール型バルブ）
１４  ディスク
１４ａ  パイロットバルブ
１６  流水検知手段
１６ａ  圧力スイッチ
１６ｂ  パドル型スイッチ
１８  開閉制御部
２０  バドル
２２  スプリンクラーヘッド
２４  給水ポンプ
２６  水槽
２８  一次側配管
３０  二次側配管
３２  従来の流水検知装置
３６、４１  制御盤
３８  火災検知器
４０  圧力スイッチ
ＦＳ  火災信号
ＭＳ  水供給信号
ＣＳ１  給水ポンプ起動信号
ＣＳ２  仕切り弁開放信号
【図１】
2015217240.tif 000003
【図２】
2015217240.tif 000004
【図３】
2015217240.tif 000005
【図４】
2015217240.tif 000006
【図５】
2015217240.tif 000007
【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
消火用の水の供給を行う一次側配管と、
該一次側配管から水の供給を受けスプリンクラーヘッドから放水を行う二次側配管と、
前記一次側配管と前記二次側配管とを連通状態で接続する接続体と、
該接続体内に設けられ前記一次側配管から前記二次側配管への流水状態を検知する流水検知手段と、
火災状態を感知して火災信号を送出する火災感知手段と、を有する湿式スプリンクラーシステムにおいて、
前記接続体は、一体型の構成を有し、
該接続体内には、前記一次側配管と前記二次側配管との連通状態を開閉する仕切り弁が設けられ、
該仕切り弁を常態で開状態とすることで非予作動式の湿式スプリンクラーシステムが構築され、
該仕切り弁を常態で閉状態とし前記火災感知手段と連動させることで予作動式の湿式スプリンクラーシステムが構築されることを特徴とする湿式スプリンクラーシステム。
【請求項２】
前記仕切り弁は、自動開閉可能に構成されたことを特徴とする請求項１に記載の湿式スプリンクラーシステム。
【請求項３】
前記仕切り弁はボール型バルブであり、前記流水検知手段は流水抵抗を受けるように配置されたパドルの往復動作によって流水検知を行うパドル型スイッチであり、該パドル型スイッチの少なくとも前記パドルの動作部の一部を前記ボール型バルブの流水経路内に設置したことを特徴とする請求項１に記載の湿式スプリンクラーシステム。
【手続補正２】
【補正対象書類名】明細書
【補正対象項目名】全文
【補正方法】変更
【補正の内容】
【発明の詳細な説明】
【技術分野】
【０００１】
本発明は、湿式スプリンクラーシステムに関する。
【背景技術】
【０００２】
スプリンクラーシステムは、常態で二次側配管に水が充填されるか否かで乾式と湿式に分類される。寒冷地では凍結の恐れがあるため乾式が用いられるが、耐久性や火災時の迅速性を考慮して、湿式が多く用いられている。この湿式にも通常のものと予作動式がある。何れのタイプにおいても連続流水の有無を検知する流水検知装置が設けられている。
【０００３】
図４は、通常（非予作動式）の湿式スプリンクラーシステムの主要部の概略構成図である。湿式スプリンクラーシステム１００において、地上又は地下の消火水槽２６に蓄えられた水は、ポンプ２４、一次側配管２８、流水検知装置３２、二次側配管３０、スプリンクラーヘッド２２を経由して放水される。一次側配管２８は、水供給手段の一部である給水ポンプ２４に接続され、各階に立ち上がって配管されている。二次側配管３０は、各階で一次側配管２８から連通して分岐され、各階の天井に略並行に伸長した後に更に連通して分岐し、鉛直方向に垂下した立ち下げ配管３０ａを形成している。その立ち下げ配管３０ａの先端部には、各階の天井部から露出した状態でスプリンクラーヘッド２２が取り付けられている。
【０００４】
一次側配管２８には、圧力スイッチ４０が設けられている。この圧力スイッチ４０は、一次側配管２８の水圧が所定の圧力以下になると水供給信号ＭＳを制御盤４１に送信する。制御盤４１は、水供給信号ＭＳを受信すると、給水ポンプ２４を起動するように構成されている。
【０００５】
火災が発生し、スプリンクラーヘッド２２が作動すると、二次側配管３０内の水が放出され、二次側配管３０内の圧力が低下する。これにより、一次側配管２８から水が二次側配管３０へ流入し、一次側配管２８の圧力が低下する。この圧力低下を圧力スイッチ４０が感知すると、圧力スイッチ４０は水供給信号ＭＳを制御盤４１に送信する。制御盤４１は、水供給信号ＭＳを受信すると、給水ポンプ起動信号ＣＳ１を給水ポンプ２４に送信する。すると、給水ポンプ２４が起動し、一次側配管２８から二次側配管３０に連続して送水され、消火活動が行われる。
【０００６】
流水検知装置３２は、一次側配管２８と二次側配管３０とが連通して接続される接続体３２ａを有し、一次側配管２８から二次側配管３０に連続して水が流れると、流水検知手段１６が作動し、連続流水を行っていることの報知を行う。上記の通常の湿式スプリンクラーシステム１００では、スプリンクラーヘッド１２が誤動作を起こした場合、連続して水が流れ、いわゆる水損及び室内機器等が水を被ることによる物損が発生する。
【０００７】
図５は、予作動式の湿式スプリンクラーシステム１１０の主要部の概略構成図である。前述した水損及び物損を回避するために構築されたシステムである。図４の通常の湿式スプリンクラーシステム１００と同一の構成要素については同一の符号を付してあり説明は省略する。大きな違いは、流水検知装置３２の上流側に、常態が閉状態の仕切り弁４２がある。この仕切り弁４２は、火災感知手段である火災検知器３８からの火災信号ＦＳを制御盤３６が受信すると、仕切り弁４２を開状態とするための制御信号ＣＳ２を仕切り弁４２の開閉制御部４４に送信する。同時に、給水ポンプを起動するための給水ポンプ起動信号ＣＳ１を給水ポンプ２４に送信する。
【０００８】
火災が発生すると、火災検知器３８が作動し、仕切り弁４２が開状態となり、一次側配管２８と二次側配管３０が連通状態となる。そして、スプリンクラーヘッド２２が作動すると一次側配管２８から二次側配管３０へ水が連続して流れ消火活動が行われる。流水検知装置３２は、一次側配管２８から二次側配管３０へ水が連続して流れるので流水検知手段１６が作動し、連続流水を行っていることの報知を行う
【０００９】
火災検知器３８が誤動作であった場合には、仕切り弁４２が開状態となるが、スプリンクラーヘッド２２が作動しない限り水損及び物損は発生しない。また、スプリンクラーヘッド２２が誤作動を起こした場合、二次側配管３０内の水は放出されるが、火災信号ＦＳが送信されないので仕切り弁４２は閉状態のままであり大きな水損及び物損は発生しない。
【００１０】
なお、二次側配管３０内の水を常態で吸引しておき、スプリンクラーヘッド２２が誤作動した場合の水損及び物損を皆無とした真空湿式スプリンクラーシステム（特許文献１）においても、基本的な動作は上述したものと同様である。
【先行技術文献】
【特許文献】
【００１１】
【特許文献１】特許第３２６４９３９号公報
【発明の開示】
【発明が解決しようとする課題】
【００１２】
水損及び物損の発生を回避するために通常（非予作動式）の湿式スプリンクラーシステム１００から予作動式の湿式スプリンクラーシステム１１０に変更したいという要望がある。しかし、一旦、湿式スプリンクラーシステム１００を構築した後に、予作動式の湿式スプリンクラーシステム１１０に変更することは容易ではない。すなわち、仕切り弁４２を新たに取り付ける等の大掛かりな工事が必要となる。また、工事期間は、スプリンクラーシステムが休止の状態となり、火災が発生した場合に消火活動ができない等の心配がある。
【００１３】
本発明は、上記課題に鑑みてなされたものであり、その目的は、特別な工事をすることなく且つ簡単に通常型（非予作動式）と予作動式の何れの湿式スプリンクラーシステムにも切り替えることを可能とする湿式スプリンクラーシステムを提供することにある。
【課題を解決するための手段】
【００１４】
上記目的を達成するため、請求項１に記載の湿式スプリンクラーシステムは、消火用の水の供給を行う一次側配管と、該一次側配管から水の供給を受けスプリンクラーヘッドから放水を行う二次側配管と、前記一次側配管と前記二次側配管とを連通状態で接続する接続体と、該接続体内に設けられ前記一次側配管から前記二次側配管への流水状態を検知する流水検知手段と、火災状態を感知して火災信号を送出する火災感知手段と、を有する湿式スプリンクラーシステムにおいて、
前記接続体は、一体型の構成を有し、該接続体内には、前記一次側配管と前記二次側配管との連通状態を開閉する仕切り弁が設けられ、該仕切り弁を常態で開状態とすることで非予作動式の湿式スプリンクラーシステムが構成され、該仕切り弁を常態で閉状態とし前記火災感知手段と連動させることで予作動式の湿式スプリンクラーシステムが構成されることを特徴とする。
【００１５】
この構成によれば、流水検知装置の接続体内には仕切り弁が設けられている。したがって、この仕切り弁を常態で開状態とすることで通常（非予作動式）の湿式スプリンクラーシステムが構築され、常態で閉状態とし火災検知器と連動させることで予作動式の湿式スプリンクラーシステムが構築される。したがって、本発明の一体型の流水検知装置を設置しておくことで、システムの変更に伴う煩雑な改修工事は不必要となり、また工事に伴うスプリンクラーシステムの停止期間も無くなる。
【００１６】
請求項２に記載の湿式スプリンクラーシステムは、請求項１に記載の湿式スプリンクラーシステムにおいて、前記仕切り弁は、自動開閉可能に構成されたことを特徴とする。このように、仕切り弁を自動的に開閉できるので、通常の湿式スプリンクラーシステムと予作動式の湿式スプリンクラーシステムとの切換えを瞬時に行うことが可能となり、通常の湿式スプリンクラーシステムと予作動式の湿式スプリンクラーシステムとの間の切り替え時の簡略化がより的確になる。
【００１７】
請求項３に記載の湿式スプリンクラーシステムは、請求項１又は２に記載の湿式スプリンクラーシステムにおいて、前記仕切り弁はボール型バルブであり、前記流水検知手段は流水抵抗を受けるように配置されたパドルの往復動作によって流水検知を行うパドル型スイッチであり、該パドル型スイッチの少なくとも前記パドルの動作部の一部を前記ボール型バルブの流水経路内に設置したことを特徴とする。この構成によれば、仕切り弁としてボール型バルブが採用され、ボール型バルブの流水経路内にパドル型スイッチのパドルの一部が配置されることから、接続体内のスペースが有効に活用され、システムの切り替えが可能な流水検知装置の小型化が図られる。
【発明の効果】
【００１８】
本発明の湿式スプリンクラーシステムに用いられる流水検知装置によれば、接続体の内部に仕切り弁を設けたので、通常（非予作動式）の湿式スプリンクラーシステムと予作動式の湿式スプリンクラーシステムの両方で使用可能となり、システムの変更に伴う改修工事は不必要となる。また、改修工事に伴うシステムの停止期間も無くなることからシステムの信頼性も向上する。
【図面の簡単な説明】
【００１９】
【図１】本発明の湿式スプリンクラーシステムで用いる流水検知装置の第１の実施の形態に係る概略断面図である。
【図２】本発明の湿式スプリンクラーシステムで用いる流水検知装置の第２の実施の形態に係る概略断面図である。
【図３】図１又は図２に示す流水検知装置を用いた湿式スプリンクラーシステムの主要部の概略構成図である。
【図４】従来の通常（非予作動式）の湿式スプリンクラーシステムに係り、主要部の概略構成図である。
【図５】従来の予作動式の湿式スプリンクラーシステムに係り、主要部の概略構成図である。
【発明を実施するための形態】
【００２０】
図１は、本発明の湿式スプリンクラーシステムで用いる流水検知装置の第１の実施の形態に係る概略断面図である。流水検知装置１０は、消火用の水の供給を行う一次側配管と一次側配管から水の供給を受けスプリンクラーヘッドから放水を行う二次側配管とを連通状態で接続する接続体１０ａと、一次側配管から二次側配管へ所定時間水が流れた時に連続流水の検知を行う流水検知手段１６と、接続体１０ａ内に仕切り弁１２を有する。以下、個々の構成要素について詳述する。
【００２１】
接続体１０ａは筒状であり、上端と下端が開口している。上端の開口部１０ｂに二次側配管、下端の開口部１０ｃに一次側配管が連通した状態で接続される。
【００２２】
接続体１０ａ内は仕切り弁１２が設けられている。本実施の形態では、仕切り弁としてボール型バルブを用いた。なお、これに限らず、バタフライ型バルブ、グローブ型バルブ等種々のものも使用することができる。
【００２３】
ボール型バルブ１２は、球状の弁体１５に主孔１３が直線状に貫通して形成され、主孔１３の略中央から主孔１３と直交する方向に穿設された副孔１４を有する。球状の弁体１５を回転させ主孔１３の向きを開口部１０ｂ、１０ｃに揃えると一次側配管から二次側配管へ水が流れる（開状態）。主孔１３の向きを開口部１０ｂ、１０ｃと直交させると一次側配管から二次側配管へ水は流れない（閉状態）。図１は、ボール型バルブ１２が閉の状態を示している。ボール型バルブ１２の開閉、すなわち弁体１５の回転は、弁体１５に取り付けられた回転軸１８ａを開閉制御部１８が回転させることにより為される。本実施の形態では電動モータを用いている。そして、図３にも示しているが、ボール型バルブ１２は、火災検知器からの火災信号により自動的に開状態となるように構成されている。この場合の水の流れを矢印１５０で示している。また、ボール型バルブ１２の開閉動作において、漏水が発生しないようにボール型バルブ１２の摺動部分にはシール材１２ａが設けられている。
【００２４】
ボール型バルブ１２の流水経路内、即ち弁体１５の主孔１３内には、パドル型スイッチ１６ｂのパドル２０が配置されている。パドル２０は、弁体１５の副孔１４を利用して取り付けられている。一次側配管から二次側配管へ水が流れると、パドル２０は流水抵抗を受けて、パドル型スイッチ１６ｂがオン状態となり、水の流れが無くなるとパドル２０は元の位置に復帰してパドル型スイッチ１６ｂはオフ状態となる。一次側配管から二次側配管へ所定の時間連続流水があると、パドル型スイッチ１６ｂ内に設置されたブザー等によりその報知が為される。
【００２５】
接続体１０ａの内部には、逆止弁の作用を有するディスク５０があり、一次側配管から水が流れて来るとその水圧により上部へ押し上げられて開状態となる。このディスク５０は、例えば、一次側配管のメンテナンスのために水を抜いた場合に、これが無いと各階の二次側配管内の水が流れ出て来るので、メンテナンスに不都合が生じる。その恐れがない場合には、ディスク５０は無くても良い。
【００２６】
本実施の形態によれば、流水検知装置１０の接続体１０ａ内には仕切り弁としてボール型バルブ１２が設けられている。したがって、このボール型バルブ１２を常態で開状態とすることで通常（非予作動式）の湿式スプリンクラーシステムが構築され、常態で閉状態とし火災検知器と連動させることで予作動式の湿式スプリンクラーシステムが構築される。この開閉を遠隔操作により可能にしておくことで、システムの切り替えに要する無駄な時間、すなわちシステムが停止している時間を無くすことができる。
【００２７】
したがって、この一体型の流水検知装置１０を設置しておくことで、システムの変更に伴う煩雑な改修工事は不必要となり、また工事に伴うスプリンクラーシステムの停止期間も無くなる。また、流水検知手段１６をパドル型スイッチ１６ｂにより構成し、パドル型スイッチ１６ｂのパドル２０を、ボール型バルブ１２内の弁体１５内に配置したので、接続体１０ａの小型化が図れる。
【００２８】
図２は、本発明の湿式スプリンクラーシステムで用いる流水検知装置の第２の実施の形態に係る概略断面図である。図１と同じ構成要素には同一の符号を付し説明は省略する。本実施の形態は、流水検知手段１６として、従来の圧力スイッチ１６ａをそのまま用いた例を示している。
【００２９】
接続体１０ａ内には、逆止弁の作用を有するディスク１４が設けられている。このディスク１４は、略円形状であり一次側配管から水が流れて来ると、水圧により押し上げられて開状態となり、水は二次側配管へと流れる。この水の流れを矢印１５０で示している。ディスク１４の円周端の一部分には、パイロットバルブ１４ａが設けられており、後述する流水検知手段１６である圧力スイッチ１６ａへの水の流れを制御する。具合的には、ディスク１４が閉状態のときには、パイロットバルブ１４ａが圧力スイッチへ流れる水路の水路口１６ｂを塞ぎ、一次側配管から流れて来た水の水圧によりディスク１４が開状態になると、塞いでいた水路の水路口１６ｂが開放され、圧力スイッチ１６ａへの水路１６ｃに水が流入する。
【００３０】
流水検知手段１６は、上記のパイロットバルブ１４ａと圧力スイッチ１６ａとを有して構成される。圧力スイッチ１６ａは、上記の水路１６ｃから水が流れて来るとその水の圧力によりオン状態となる。このオン状態が所定の時間継続すると、一次側配管から二次側配管へ連続流水が行われていることをブザー等により報知するように構成されている。
【００３１】
仕切り弁として、図１と同様に接続体１０ａ内にボール型バルブ１２を設置した。このボール型バルブ１２の開閉は、図１と同様に開閉制御部１８により行われる。また、第１の実施の形態と同様に、ボール型バルブ１２は火災検知器と連動して火災信号により自動的に開状態となる。更に、遠隔操作により開閉可能に構成されている。
【００３２】
本実施の形態によれば、従来の流水検知手段１６をそのまま用い、ボール型バルブ１２を接続体１０ａ内に設けたので、このボール型バルブ１２を常態で開状態とすることで通常（非予作動式）の湿式スプリンクラーシステムが構築され、常態で閉状態とし火災検知器と連動させることで予作動式の湿式スプリンクラーシステムが構築される。したがって、この一体型の流水検知装置１０を設置しておくことで、システムの変更に伴う煩雑な改修工事は不必要となり、また工事に伴うスプリンクラーシステムの停止期間もなくなる。
【００３３】
図３は、図１又は図２で示した流水検知装置を用いた湿式スプリンクラーシステムの主要部の概略構成図である。通常の湿式スプリンクラーシステム及び予作動式の湿式スプリンクラーシステムの何れのシステムにも切り換え可能である。なお、図５に示した予作動式の湿式スプリンクラーシステムと同一の構成要素には、同一の符号を付し説明は省略する。
【００３４】
図５の予作動式の湿式スプリンクラーシステムとの違いは、接続体１０ａ内に仕切り弁１２が一体として設けられている点にある。また、一次側配管２８に圧力スイッチ４０が設けられている点にある。
【００３５】
この構成により、仕切り弁１２を常態で開状態として、一次側配管２８及び二次側配管３０に水を充填しておくことで、通常（非予作動式）の湿式スプリンクラーシステムとして動作する。また、仕切り弁１２を常態で閉状態として、火災検知器３８と連動して開状態となるようにすることで予作動式の湿式スプリンクラーシステムとして動作する。この開閉を遠隔操作により可能にしておくことで、システムの切り替えに要する無駄な時間、すなわちシステムが停止している時間を無くすことができる。
【００３６】
したがって、本発明の一体型の流水検知装置を設置しておくことで、システムの変更に伴う煩雑な改修工事は不必要となり、また工事に伴うスプリンクラーシステムの停止期間も無くなりシステムの信頼性が向上する。更に、例えば、建物の１階は予作動式、２階は通常（非予作動式）という具合に、各階毎にシステムを選択することもでき、使い勝手は良好である。
【００３７】
なお、本発明は、上述の実施の形態に限定されるものではなく、本発明の趣旨を逸脱しない範囲で種々の変更が可能である。例えば、接続体は筒状のものを例示したがこれに拘らない。
【符号の説明】
【００３８】
１０、１１、３２  流水検知装置
１０ａ、３２ａ  接続体
１２  仕切り弁（ボール型バルブ）
１４  ディスク
１４ａ  パイロットバルブ
１６  流水検知手段
１６ａ  圧力スイッチ
１６ｂ  パドル型スイッチ
１８  開閉制御部
２０  バドル
２２  スプリンクラーヘッド
２４  給水ポンプ
２６  水槽
２８  一次側配管
３０  二次側配管
３２  従来の流水検知装置  
３６、４１  制御盤
３８  火災検知器
４０  圧力スイッチ
ＦＳ  火災信号
ＭＳ  水供給信号
ＣＳ１  給水ポンプ起動信号
ＣＳ２  仕切り弁開放信号